(57)【要約】【課題】トーションレース編地を用いて少ない工数で安価に作成できるフットカバーを提供する。【解決手段】本発明は、袋編みの地部２を弾性糸で編成し、該地部の一縁に開口３を間欠して設け、該開口間４に地部を横断する断截目５を編成してなるトーションレース編地を、前記断截目５から断截し、該断截端をつま先及び踵の形状に縫製カットしてなるフットカバーにおいて、前記トーションレース編地の編成時に、前記開口３の口縁３ａ、３ｂ及び開口間４に前記地部の使用糸より高い弾性を有するゴム糸９を挿入したことを特徴とし、履き口となる開口３に後加工でゴム編地を縫着する必要がないように構成した。【選択図】      図１
2005002530.tif 000002
【特許請求の範囲】
【請求項１】
袋編みの地部を弾性糸で編成し、該地部の一縁に開口を間欠して設け、該開口間に地部を横断する断截目を編成してなるトーションレース編地を、前記断截目から断截し、該断截端をつま先及び踵の形状に縫製カットしてなるフットカバーにおいて、前記トーションレース編地の編成時に、前記開口の口縁及び開口間に前記地部の使用糸より高い弾性を有するゴム糸を挿入したことを特徴とするフットカバー。
【請求項２】
前記つま先が前記開口を上向きに扁平にして前記断截端の中央部が最も外になる円弧に縫製カットされ、前記踵が前記断截端に沿って縫製カットし、該カット線を上向きに扁平にしたときに出来る角部を三角状に縫製カットされていることを特徴とする請求項１に記載のフットカバー。
【請求項３】
前記開口間に対応する地部の編目が、前記開口内に対応する地部の編目に比して細かくなっていることを特徴とする請求項１又は２に記載のフットカバー。
【発明の詳細な説明】
【０００１】
【発明の属する技術分野】
本発明は、足を浅く覆うフットカバー、特に、トーションレース編地を用いたフットカバーに関するものである。
【０００２】
【従来の技術】
一般に、トーションレース編地は、環状に配置したボビンから引き出した糸を中央部上方に集め、隣接するボビンを交互に入れ替えながら環状に走らせて糸を絡ませつつ筬打ちして編成した帯状のレース編地であり、該編地はその地部を弾性糸で編成することにより適当な伸縮が得られるため、従来から、足を浅く覆うフットカバーとして利用されていたが、上記編地はその地部を弾性糸で編成したとしてもフットカバーにした場合には履き口となる開口部の弾性が不足するという問題があったため、履き口に高いゴム弾性を有するゴム編地を環状に縫着して弾性力を補っていた。
【０００３】
【発明が解決しようとする課題】
しかしながら、履き口の弾性力を補うために高いゴム弾性を有するゴム編地を環状に縫着するという作業はミシンを使うとしても一個一個縫着することから多くの手間と時間がが掛かかったため、フットカバーのコストが高騰することが避けられなかった。
【０００４】
本発明は、上記の問題を解消するためのもので、その目的とするところは、トーションレース編地を用いて少ない工数で安価に作成できるフットカバーを提供することにある。
【０００５】
【問題点を解決するための手段】
上記目的を達成するため、本発明は、袋編みの地部を弾性糸で編成し、該地部の一縁に開口を間欠して設け、該開口間に地部を横断する断截目を編成してなるトーションレース編地を、前記断截目から断截し、該断截端をつま先及び踵の形状に縫製カットしてなるフットカバーにおいて、前記トーションレース編地の編成時に、前記開口の口縁及び開口間に前記地部の使用糸より高い弾性を有するゴム糸を挿入したことを特徴とし、履き口となる開口に後加工でゴム編地を縫着する必要がないように構成した。
【０００６】
また、請求項２に記載の発明は、前記つま先が前記開口を上向きに扁平にして前記断截端の中央部が最も外になる円弧に縫製カットされ、前記踵が前記断截端に沿って縫製カットし、該カット線を上向きに扁平にしたときに出来る角部を三角状に縫製カットされていることを特徴とし、つま先を円弧縁、踵を立体縁にして履き心地やフィット感が得られるように構成した。
【０００７】
また、請求項３に記載の発明は、前記開口間に対応する地部の編目が、前記開口内に対応する地部の編目に比して細かくしたことを特徴とし、履き口の周辺は目の粗さを含めて柄デザインの自由度の要請があり、つま先には足指の飛び出しを抑えるという要請があり、踵、特に、底側には強度を高めるという要請があることから、これらの要請を総て満足できるように構成した。
【０００８】
【発明の実施の態様】
次に、本発明の実施の態様について図面を参照して説明する。図１は本願トーションレース編地の略示的斜視図、図２は本願トーションレース編地の断截目より断截したフットカバー原反の略示的斜視図、図３はつま先の縫製カット部の略示的平面図、図４は踵の縫製カット部を示す斜視図で、（ａ）は第１縫製カット線、（ｂ）は第２縫製カット線、図５は本願フットカバーを示す略示的斜視図である。
【０００９】
１は本願トーションレース編地で、その地部２を弾性糸で袋編みしている。該袋編みは、表面側と裏面側を独立に編成し、両サイドで互いに糸を絡ませ、連続するチューブ状に編成したものである。この袋編みの地部２の一縁ａには、開口３が間欠して設けられている。この開口３の長さＡ及び開口間４の長さＢはフットカバーを着用する人の平均的な足のサイズを考慮して決定される。
【００１０】
前記開口間４には、地部２を横断する断截目５が編成されている。該断截目５はその目の中間を断截（カット）しても地部２がほぐれないように構成したものである。前記本願トーションレース編地１を断截目５から断截し、図２の如く、フットカバー原反６を得たときは、開口３の端部３ａと断截目５との間４ａはつま先７となる部分であり、開口３の端部３ｂと断截目５との間４ｂは踵８となる部分である。
【００１１】
前記開口３の口縁３′、３″には、前記地部２に使用した弾性糸より高い弾性を有するゴム糸９が挿入（図１において破線で示す）されている。このゴム糸９は、口端３′、３″にはそれぞれ２本挿入され、開口間４には複合されて４本になって挿入されている。換言すれば、開口３の口縁３′、３″では２本毎に分割され、開口間４では４本に引き揃えられるようにして次々と連続して挿入されている。このようにゴム糸９は、開口間４を含めて次々と開口３に挿入して行くため、編地の編成時に支承無く挿入できるものである。
【００１２】
前記ゴム糸９は挿入時には一定の緊張状態が保たれているため、地部２の両サイドは、図１の如く、ほぼ平行になっているが、前記断截目４より断截してフットカバー原反６にすると、ゴム糸９の緊張状態が解除されて、図２の如く、ゴム糸９が縮むため海老状に変形する。このときゴム糸９は地部２の糸を巻き込んで圧縮して紐状になる。
【００１３】
前記フットカバー原反６は、つま先７となる部分４ａと踵８となる部分４ｂをつま先７及び踵８に適した形状に縫製カットされる。該縫製カットは、ロックミシンを使って縫製することを指す。即ち、ロックミシンは、地部を縫製すると同時に余剰の地部が切り落とされるようになっているものである。
【００１４】
前記つま先７の形状は具体的には、図３の如く、フットカバー原反６の開口３を上向きに扁平にして前記断截端の中央部が最も外になる円弧に縫製カットすることにより円弧縁Ｒになるようにしている。また、踵８形状は具体的には、図４（ａ）において、符合Ｓ１の如く、前記断截端に沿って縫製カットし、該カット線を上向きに扁平にしたときに、図４（ｂ）の如く出来る角部Ｋを、符合Ｓ２の如く、三角状に縫製カットし、立体縁Ｔになるようにしている（図５参照）。このつま先の円弧縁形状、踵の立体縁形状は、良好な履き心地やフィット感が得られるようにしたもので、この履き心地やフィット感が考慮されるならば、他の形状にすることもある。
【００１５】
前記地部２のうち、開口間４に対応する地部２の編目は、開口３内に対応する地部２の編目に比して細かくなっている。この細かさは相対的に決定されるが、少なくとも、履き口となる開口３の周辺の目は粗さを含めて柄デザインの自由度の要請があり、つま先７となる部分４ａの目は足指の飛び出しを抑えるという要請があり、踵８となる部分４ｂの目は、特に、底側において強度を高めるという要請があることから、これらの要請を総て満足できるようにしている。
【００１６】
前記つま先７及び踵８は縫製カットにより形成され、この縫製カットした部分は縫製代１０が板状に残るので、縫製カット後、フットカバー原反６はその内外面を反転させると、つま先７及び踵８に顕われる前記縫製代１０が隠され、外観体裁が整い、商品性の高いフットカバーＦとして完成する。なお、本フットカバーＦは編地自身が縮み易い上に開口及び開口間にゴム糸が挿入されているために一層縮みやすくなっているため、商品として出荷及び店頭に並べるときは足裏型（フット型）や舟型をした台紙（図示せず）を履かせるとより体裁が整うようになり好ましい。
【００１７】
【実施例１】
今、本願トーションレース編地１を編成するに当たり、緊張状態での地部２の幅を５０ｍｍ、開口３の長さＡを１２０ｍｍ、開口端３ａから断截目５の長さ４ａを５０ｍｍ、開口端３ｂから断截目５までの長さ４ｂを２０ｍｍとし、地部２の編目をほぼ５ｍｍ角、つま先７及び踵８に対応する編目３ｍｍ角にして編成し、断截目５から断截したフットカバー原反６につま先及び踵形状にそれぞれ縫製カットし、内外面を反転して本フットカバーＦを得、履き口となる開口３の長さＡを測定したところ、８０ｍｍに圧縮されていた。これは開口３及び開口間４に挿入したゴム糸９の作用に基づく。このフットカバーＦを足のサイズが２３ｃｍの女性に履いてもらったところ、開口３の口縁が踝の少し下ぐらいのところに納まった。
【００１８】
【実施例２】
次に、地部２の幅、開口３の長さＡ、開口端３ａから断截目５までの長さ、開口端３ｂから断截目５までの長さ、地部２の編目の大きさを、それぞれ実施例１と共通にし、図５の如く、つま先７の形状を円弧縁Ｒにし、踵８の形状を立体縁Ｔに形成し、内外面を反転して本フットカバーＦを得、出願人の近所の女性１０人（足のサイズ２３ｃｍが５人、２２ｃｍが３人、２１ｃｍが１人、２４ｃｍが１人）に朝１０時から午後３時まで５時間にわたって連続して履いてもらい、その印象を聴いたところ、次のような満足する感想が得られた。
（１）つま先も踵もピッタリとフィットし履き心地は申し分ない。
（２）靴を履いたり脱いだりしても足から脱げることが無かった。
（３）靴を履いていて蒸れる感じは無かった。
（４）開口の締まりが良く、フィット感があり、歩いているときに脱げる感じは無かった。
【００１９】
【発明の効果】
以上の如く、本発明は、袋編みの地部を弾性糸で編成し、該地部の一縁に開口を間欠して設け、該開口間に地部を横断する断截目を編成してなるトーションレース編地を、前記断截目から断截し、該断截端をつま先及び踵の形状に縫製カットしてなるフットカバーにおいて、前記トーションレース編地の編成時に、前記開口の口縁及び開口間に前記地部の使用糸より高い弾性を有するゴム糸を挿入したことを特徴としているから、履き口となる開口に後加工でゴム編地を縫着する必要がなく、フットカバーを少ない工数で安価に作成できるという優れた効果を奏するものである。
【００２０】
また、請求項２に記載の発明は、前記つま先が前記開口を上向きに扁平にして前記断截端の中央部が最も外になる円弧に縫製カットされ、前記踵が前記断截端に沿って縫製カットし、該カット線を上向きに扁平にしたときに出来る角部を三角状に縫製カットされていることを特徴としているから、つま先が円弧縁に、踵が立体縁になるため、良好な履き心地やフィット感が得られるという優れた効果を奏するものである。
【００２１】
さらに、請求項３に記載の発明は、前記開口間に対応する地部の編目が、前記開口内に対応する地部の編目に比して細かくしたことを特徴としているから、履き口の周辺に要請される目の粗さを含めた柄デザインの自由度、つま先に要請される足指の飛び出しの抑え、及び、踵、特に底側に要請される強度など総ての要請を同時に満足できるという優れた効果を奏するものである。
【図面の簡単な説明】
【図１】本願トーションレース編地の略示的斜視図である。
【図２】本願トーションレース編地の断截目より断截したフットカバー原反の略示的斜視図である。
【図３】つま先の縫製カット部の略示的平面図である。
【図４】踵の縫製カット部を示す斜視図で、（ａ）は第１縫製カット線、（ｂ）は第２縫製カット線である。
【図５】本願フットカバーを示す略示的斜視図である。
【符号の説明】
１  本願トーションレース編地
２  地部
ａ  地部の一縁
３  開口
３ａ、３ｂ  開口端
３′、３″  口縁
４  開口間
４ａ
４ｂ
５  断截目
６  フットカバー原反
７  つま先
８  踵
９  ゴム糸
１０  縫着代
Ｒ  円弧縁
Ｔ  立体縁
【図１】
2005002530.tif 000003
【図２】
2005002530.tif 000004
【図３】
2005002530.tif 000005
【図４】
2005002530.tif 000006
【図５】
2005002530.tif 000007